(57)【特許請求の範囲】
【請求項１】
ホームエレベータの救出依頼信号が外部に送信される度に、前記ホームエレベータが設けられた建築物の出入口の扉に設けられた電子錠のパスワードとして救出員に対応付けられていないパスワードを新しく設定する電子錠制御装置、
を備え、
前記電子錠制御装置は、前記ホームエレベータの救出依頼信号が外部に送信される度に、前記ホームエレベータのかごに設けられた釦の操作内容に基づいて前記電子錠のパスワードを新しく設定する救出システム。
【請求項２】
ホームエレベータの救出依頼信号が外部に送信される度に、前記ホームエレベータが設けられた建築物の出入口の扉に設けられた電子錠のパスワードとして救出員に対応付けられていないパスワードを新しく設定する電子錠制御装置、
を備え、
前記電子錠制御装置は、前記電子錠のパスワードを新しく設定した際に、前記建築物の出入口から前記ホームエレベータまでの経路として設定されている経路において前記建築物の出入口から前記ホームエレベータに到達するまでに通過し得る出入口の扉を開き得る状態に維持し、前記建築物の出入口から前記ホームエレベータまでの経路として設定されている経路および当該経路とつながる経路において通過し得る出入口以外の出入口の扉を閉じた状態に維持する救出システム。
【請求項３】
ホームエレベータの救出依頼信号が外部に送信される度に、前記ホームエレベータが設けられた建築物の出入口の扉に設けられた電子錠のパスワードとして救出員に対応付けられていないパスワードを新しく設定する電子錠制御装置、
を備え、
前記電子錠制御装置が前記電子錠のパスワードを新しく設定した際に、救出員の携帯端末に当該パスワードの情報を送信し、前記救出員の携帯端末からの救出完了信号を受信した際に当該パスワードを無効にする信号を送信する管理装置、
を備え、
前記電子錠制御装置は、前記管理装置が当該パスワードを無効にする信号を送信した際に当該パスワードを無効にする救出システム。
【請求項４】
ホームエレベータの救出依頼信号が外部に送信される度に、前記ホームエレベータが設けられた建築物の出入口の扉に設けられた電子錠のパスワードとして救出員に対応付けられていないパスワードを新しく設定するパスワード設定工程、
を備え、
前記パスワード設定工程は、前記ホームエレベータの救出依頼信号が外部に送信される度に、前記ホームエレベータのかごに設けられた釦の操作内容に基づいて前記電子錠のパスワードを新しく設定する工程を含む救出方法。
【請求項５】
ホームエレベータの救出依頼信号が外部に送信される度に、前記ホームエレベータが設けられた建築物の出入口の扉に設けられた電子錠のパスワードとして救出員に対応付けられていないパスワードを新しく設定するパスワード設定工程、
を備え、
前記電子錠のパスワードが新しく設定された際に、前記建築物の出入口から前記ホームエレベータまでの経路として設定されている経路において前記建築物の出入口から前記ホームエレベータに到達するまでに通過し得る出入口の扉を開き得る状態に維持し、前記建築物の出入口から前記ホームエレベータまでの経路として設定されている経路および当該経路とつながる経路において通過し得る出入口以外の出入口の扉を閉じた状態に維持する扉制御工程、
を備えた救出方法。
【請求項６】
ホームエレベータの救出依頼信号が外部に送信される度に、前記ホームエレベータが設けられた建築物の出入口の扉に設けられた電子錠のパスワードとして救出員に対応付けられていないパスワードを新しく設定するパスワード設定工程、
を備え、
前記電子錠のパスワードが新しく設定された際に、救出員の携帯端末に当該パスワードの情報を送信するパスワード送信工程と、
前記救出員の携帯端末から救出完了信号が送信された際に当該パスワードを無効にする信号を送信するパスワード無効工程と、
を備えた救出方法。
【発明の詳細な説明】
【技術分野】
【０００１】
この発明は、救出システムおよび救出方法に関する。
【背景技術】
【０００２】
特許文献１は、ホームエレベータの利用者救出システムを開示する。当該利用者救出システムにおいて、利用者がかごに閉じ込められた際、ホームエレベータは、救出依頼信号を保守会社の管理装置に送信する。管理装置が当該救出依頼信号を受信した際、保守会社の者は、救出員に連絡する。救出員は、ホームエレベータが設けられた建築物に向かう。この際、利用者が解除スイッチを操作すると、建築物の出入口の錠が解かれる。このため、救出員は、建築物の内部に進入して、利用者を救出することができる。
【先行技術文献】
【特許文献】
【０００３】
【特許文献１】特開平４−１７３６７７号公報
【発明の概要】
【発明が解決しようとする課題】
【０００４】
しかしながら、特許文献１に記載のものにおいては、解除スイッチを備えたかごが必要となる。このため、通常のかごに閉じ込められた利用者を救出することができない。
【０００５】
この発明は、上述の課題を解決するためになされた。この発明の目的は、建築物のセキュリティを維持しつつ、通常のかごに閉じ込められた利用者を救出するまでの時間を短縮することができる救出システムおよび救出方法を提供することである。
【課題を解決するための手段】
【０００６】
この発明に係る救出システムは、ホームエレベータの救出依頼信号が外部に送信される度に、前記ホームエレベータが設けられた建築物の出入口の扉に設けられた電子錠のパスワードとして救出員に対応付けられていないパスワードを新しく設定する電子錠制御装置、を備え、前記電子錠制御装置は、前記ホームエレベータの救出依頼信号が外部に送信される度に、前記ホームエレベータのかごに設けられた釦の操作内容に基づいて前記電子錠のパスワードを新しく設定する。
この発明に係る救出システムは、ホームエレベータの救出依頼信号が外部に送信される度に、前記ホームエレベータが設けられた建築物の出入口の扉に設けられた電子錠のパスワードとして救出員に対応付けられていないパスワードを新しく設定する電子錠制御装置、を備え、前記電子錠制御装置は、前記電子錠のパスワードを新しく設定した際に、前記建築物の出入口から前記ホームエレベータまでの経路として設定されている経路において前記建築物の出入口から前記ホームエレベータに到達するまでに通過し得る出入口の扉を開き得る状態に維持し、前記建築物の出入口から前記ホームエレベータまでの経路として設定されている経路および当該経路とつながる経路において通過し得る出入口以外の出入口の扉を閉じた状態に維持する。
この発明に係る救出システムは、ホームエレベータの救出依頼信号が外部に送信される度に、前記ホームエレベータが設けられた建築物の出入口の扉に設けられた電子錠のパスワードとして救出員に対応付けられていないパスワードを新しく設定する電子錠制御装置、を備え、前記電子錠制御装置が前記電子錠のパスワードを新しく設定した際に、救出員の携帯端末に当該パスワードの情報を送信し、前記救出員の携帯端末からの救出完了信号を受信した際に当該パスワードを無効にする信号を送信する管理装置、を備え、前記電子錠制御装置は、前記管理装置が当該パスワードを無効にする信号を送信した際に当該パスワードを無効にする。
【０００７】
この発明に係る救出方法は、ホームエレベータの救出依頼信号が外部に送信される度に、前記ホームエレベータが設けられた建築物の出入口の扉に設けられた電子錠のパスワードとして救出員に対応付けられていないパスワードを新しく設定するパスワード設定工程、を備え、前記パスワード設定工程は、前記ホームエレベータの救出依頼信号が外部に送信される度に、前記ホームエレベータのかごに設けられた釦の操作内容に基づいて前記電子錠のパスワードを新しく設定する工程を含む。
この発明に係る救出方法は、ホームエレベータの救出依頼信号が外部に送信される度に、前記ホームエレベータが設けられた建築物の出入口の扉に設けられた電子錠のパスワードとして救出員に対応付けられていないパスワードを新しく設定するパスワード設定工程、を備え、前記電子錠のパスワードが新しく設定された際に、前記建築物の出入口から前記ホームエレベータまでの経路として設定されている経路において前記建築物の出入口から前記ホームエレベータに到達するまでに通過し得る出入口の扉を開き得る状態に維持し、前記建築物の出入口から前記ホームエレベータまでの経路として設定されている経路および当該経路とつながる経路において通過し得る出入口以外の出入口の扉を閉じた状態に維持する扉制御工程、
を備える。
この発明に係る救出方法は、ホームエレベータの救出依頼信号が外部に送信される度に、前記ホームエレベータが設けられた建築物の出入口の扉に設けられた電子錠のパスワードとして救出員に対応付けられていないパスワードを新しく設定するパスワード設定工程、を備え、前記電子錠のパスワードが新しく設定された際に、救出員の携帯端末に当該パスワードの情報を送信するパスワード送信工程と、前記救出員の携帯端末から救出完了信号が送信された際に当該パスワードを無効にする信号を送信するパスワード無効工程と、を備える。
【発明の効果】
【０００８】
これらの発明によれば、ホームエレベータの救出依頼信号が外部に送信される度に、電子錠のパスワードとして救出員に対応付けられていないパスワードが新しく設定される。このため、建築物のセキュリティを維持しつつ、通常のかごに閉じ込められた利用者を救出するまでの時間を短縮することができる。
【図面の簡単な説明】
【０００９】
【図１】この発明の実施の形態１における救出システムの構成図である。
【図２】この発明の実施の形態１における救出システムが適用された建築物の平面図である。
【図３】この発明の実施の形態１における救出システムの動作を説明するためのフローチャートである。
【図４】この発明の実施の形態１における救出システムの動作を説明するためのフローチャートである。
【図５】この発明の実施の形態１における救出システムに適用されたエレベータ制御装置のハードウエア構成図である。
【図６】この発明の実施の形態２における救出システムの電子錠制御装置のブロック図である。
【図７】この発明の実施の形態２における救出システムの動作を説明するためのフローチャートである。
【図８】この発明の実施の形態２における救出システムの動作を説明するためのフローチャートである。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１における救出システムの構成図である。
【００１２】
図１において、建築物１は、住居である。扉２は、建築物１の出入口に設けられる。電子錠３は、扉２に設けられる。扉４は、建築物１の内部に設けられる。電子錠５は、扉４に設けられる。入力装置６は、建築物１の出入口において建築物１の外側に設けられる。電子錠制御装置７は、建築物１の内部に設けられる。電子錠制御装置７の入力部は、入力装置６の出力部に接続される。電子錠制御装置７の出力部は、電子錠３の入力部と電子錠５の入力部とに接続される。
【００１３】
ホームエレベータ８は、建築物１の内部に設けられる。ホームエレベータ８は、かご９を備える。操作盤１０は、かご９の内壁に設けられる。例えば、操作盤１０は、第１階床釦１１と第２階床釦１２と第３階床釦１３と開釦１４とを備える。
【００１４】
第１階床釦１１は、操作盤１０の中央に設けられる。第１階床釦１１は、「１」を表示する。第２階床釦１２は、操作盤１０において第１階床釦１１の直上に設けられる。第２階床釦１２は、「２」を表示する。第３階床釦１３は、操作盤１０において第２階床釦１２の直上に設けられる。第３階床釦１３は、「３」を表示する。開釦１４は、操作盤１０において第１階床釦１１の直下に設けられる。開釦１４は、「開」を表示する。
【００１５】
エレベータ制御装置１５は、かご９に接続される。監視装置１６は、エレベータ制御装置１５に接続される。監視装置１６は、電子錠制御装置７に接続される。
【００１６】
管理装置１７は、建築物１の外部に設けられる。例えば、管理装置１７は、ホームエレベータ８の保守会社に設けられる。管理装置１７は、固定電話回線１８を介して監視装置１６に接続される。
【００１７】
ホームエレベータ８においてかご９の停止中に開釦１４が操作された際、かご９のドアが開く。第１階床釦１１が操作された際、エレベータ制御装置１５は、１階をかご９の行先階として認識する。第２階床釦１２が操作された際、エレベータ制御装置１５は、２階をかご９の行先階として認識する。第３階床釦１３が操作された際、エレベータ制御装置１５は、３階をかご９の行先階として認識する。
【００１８】
エレベータ制御装置１５は、ホームエレベータ８の動作を制御する。利用者がかご９に閉じ込められた場合、エレベータ制御装置１５は、利用者の閉じ込めを検出する。例えば、エレベータ制御装置１５は、かご９の走行後に１分間継続してドアが閉じた状態を維持した場合に利用者の閉じ込めを検出する。この際、監視装置１６は、固定電話回線１８を介して救出依頼信号を管理装置１７に送信する。
【００１９】
管理装置１７は、当該救出依頼信号を受信した際に電子錠３のパスワードとして救出員に対応付けられていないパスワードを新しく生成する。管理装置１７は、固定電話回線１８を介して当該パスワードの情報を監視装置１６に送信する。監視装置１６は、当該パスワードの情報を電子錠制御装置７に送信する。電子錠制御装置７は、当該パスワードの情報に基づいて電子錠３のパスワードを新しく設定する。
【００２０】
この際、電子錠制御装置７は、建築物１の出入口からホームエレベータ８までの経路として設定されている経路において建築物１の出入口からホームエレベータ８に到達するまでに通過し得る出入口の扉４を開き得る状態に維持する。図１においては、電子錠制御装置７は、当該扉４の電子錠５を解く。
【００２１】
電子錠制御装置７は、建築物１の出入口からホームエレベータ８までの経路として設定されている経路および当該経路とつながる経路において建築物１の出入口からホームエレベータ８に到達するまでに通過し得る出入口以外の出入口の扉４を閉じた状態に維持する。図１においては、電子錠制御装置７は、当該扉４の電子錠５を解かない。
【００２２】
管理装置１７は、電子メール等を用いて当該ホームエレベータ８の情報と当該パスワードの情報とを救出員の携帯端末１９に送信する。救出員は、当該ホームエレベータ８の情報に基づいて建築物１に向かう。救出員は、建築物１に到着した際に当該パスワードの情報に基づいて入力装置６に当該パスワードを入力する。
【００２３】
電子錠制御装置７は、入力装置６に入力されたパスワードが新しく設定されたパスワードと一致しない場合は電子錠３を解かない。電子錠制御装置７は、入力装置６に入力されたパスワードが新しく設定されたパスワードと一致した場合は電子錠３を解く。
【００２４】
電子錠３が解かれた場合、救出員は、建築物１の内部に進入する。その後、救出員は、建築物１の内部において開き得る扉４が設けられた出入口を通過する。その結果、救出員は、ホームエレベータ８に到着する。その後、救出員は、かご９に閉じ込められた利用者を救出する。
【００２５】
その後、救出員は、携帯端末１９を用いて救出完了信号を管理装置１７に送信する。この際、管理装置１７は、固定電話回線１８を介して当該パスワードを無効にする信号を監視装置１６に送信する。監視装置１６は、当該パスワードを無効にする信号を電子錠制御装置７に送信する。電子錠制御装置７は、当該信号を受信した際に当該パスワードを無効にする。
【００２６】
次に、図２を用いて、建築物１の出入口からホームエレベータ８までの経路を説明する。
図２はこの発明の実施の形態１における救出システムが適用された建築物の平面図である。
【００２７】
図２において、建築物１の出入口からホームエレベータ８までの経路は、矢印で示される。扉４ａは、建築物１の出入口からホームエレベータ８までの経路において建築物１の出入口からホームエレベータ８に到達するまでに通過し得る出入口に設けられる。このため、扉４ａは、開き得る状態に維持される。これに対し、扉４ｂは、建築物１の出入口からホームエレベータ８までの経路および当該経路とつながる経路において建築物１の出入口からホームエレベータ８に到達するまでに通過し得る出入口に設けられていない。このため、扉４ｂは、閉じた状態に維持される。その他の扉４ｃは、建築物１の出入口からホームエレベータ８までの経路および当該経路とつながる経路から到達し得ない。このため、扉４ｃは、任意の状態に設定される。
【００２８】
次に、図３と図４とを用いて、救出システムの動作を説明する。
図３と図４とはこの発明の実施の形態１における救出システムの動作を説明するためのフローチャートである。
【００２９】
ステップＳ１では、エレベータ制御装置１５は、利用者がかご９の内部に閉じ込められているか否かを判定する。ステップＳ１で利用者がかご９の内部に閉じ込められていない場合は、ステップＳ１が繰り返される。ステップＳ１で利用者がかご９の内部に閉じ込められている場合は、ステップＳ２に進む。
【００３０】
ステップＳ２では、監視装置１６は、救出依頼信号を管理装置１７に送信する。その後、ステップＳ３に進む。ステップＳ３では、管理装置１７は、電子錠３のパスワードを新しく生成する。その後、ステップＳ４に進む。ステップＳ４では、管理装置１７は、当該パスワードの情報を監視装置１６に送信する。その後、ステップＳ５に進む。ステップＳ５では、管理装置１７は、当該ホームエレベータ８の情報と当該パスワードの情報とを救出員の携帯端末１９に送信する。その後、ステップＳ６に進む。
【００３１】
ステップＳ６では、監視装置１６は、当該パスワードの情報を電子錠制御装置７に送信する。その後、ステップＳ７に進む。ステップＳ７では、電子錠制御装置７は、当該パスワードの情報に基づいて電子錠３のパスワードを新しく設定する。その後、ステップＳ８に進む。ステップＳ８では、電子錠制御装置７は、予め設定された電子錠５を解く。その後、ステップＳ９に進む。
【００３２】
ステップＳ９では、電子錠制御装置７は、入力装置６に入力されたパスワードが新しく設定されたパスワードと一致するか否かを判定する。
【００３３】
ステップＳ９で入力装置６に入力されたパスワードが新しく設定されたパスワードと一致しない場合は、ステップＳ１０に進む。ステップＳ１０では、電子錠制御装置７は、電子錠３を解かない。その後、ステップＳ９に戻る。
【００３４】
ステップＳ９で入力装置６に入力されたパスワードが新しく設定されたパスワードと一致した場合は、ステップＳ１１に進む。ステップＳ１１では、電子錠制御装置７は、電子錠３を解く。その後、ステップＳ１２に進む。
【００３５】
ステップＳ１２では、管理装置１７は、救出員の携帯端末１９からの救出完了信号を受信した否かを判定する。ステップＳ１２で管理装置１７が救出員の携帯端末１９からの救出完了信号を受信していない場合は、ステップＳ１２が繰り返される。ステップＳ１２で管理装置１７が救出員の携帯端末１９からの救出完了信号を受信した場合は、ステップＳ１３に進む。
【００３６】
ステップＳ１３では、管理装置１７は、当該パスワードを無効にする信号を監視装置１６に送信する。その後、ステップＳ１４に進む。ステップＳ１４では、監視装置１６は、当該パスワードを無効にする信号を電子錠制御装置７に送信する。その後、ステップＳ１５に進む。ステップＳ１５では、電子錠制御装置７は、当該パスワードを無効にする。その後、動作が終了する。
【００３７】
以上で説明した実施の形態１によれば、ホームエレベータ８の救出依頼信号が外部に送信される度に、電子錠３のパスワードとして救出員に対応付けられていないパスワードが新しく設定される。このため、建築物１のセキュリティを維持しつつ、電子錠３を破壊することなく通常のかご９に閉じ込められた利用者を救出するまでの時間を短縮することができる。
【００３８】
また、電子錠３のパスワードが新しく設定された際、建築物１の出入口からホームエレベータ８に到達するまでに通過し得る出入口の扉４ａは開き得る状態に維持される。建築物１の出入口からホームエレベータ８までの経路として設定されている経路および当該経路とつながる経路においては、通過し得る出入口以外の出入口の扉４ｂは、閉じた状態に維持される。このため、救出員が通過する必要のない部屋に進入することはない。その結果、利用者のプライバシーを守ることができる。
【００３９】
また、かご９の内部に閉じ込められた利用者の救出が完了した際は、新しく設定されたパスワードが無効になる。このため、電子錠３等の設定を容易に通常に戻すことができる。
【００４０】
次に、図５を用いて、エレベータ制御装置１５の例を説明する。
図５はこの発明の実施の形態１における救出システムに適用されたエレベータ制御装置のハードウエア構成図である。
【００４１】
エレベータ制御装置１５の各機能は、処理回路により実現される。例えば、処理回路は、少なくとも１つのプロセッサ２０ａと少なくとも１つのメモリ２０ｂとを備える。例えば、処理回路は、少なくとも１つの専用のハードウエア２１を備える。
【００４２】
処理回路が少なくとも１つのプロセッサ２０ａと少なくとも１つのメモリ２０ｂとを備える場合、エレベータ制御装置１５の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ２０ｂに格納される。少なくとも１つのプロセッサ２０ａは、少なくとも１つのメモリ２０ｂに記憶されたプログラムを読み出して実行することにより、エレベータ制御装置１５の各機能を実現する。少なくとも１つのプロセッサ２０ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ２０ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００４３】
処理回路が少なくとも１つの専用のハードウエア２１を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、エレベータ制御装置１５の各機能それぞれは、処理回路で実現される。例えば、エレベータ制御装置１５の各機能は、まとめて処理回路で実現される。
【００４４】
エレベータ制御装置１５の各機能について、一部を専用のハードウエア２１で実現し、一部をソフトウェア又はファームウェアで実現してもよい。例えば、かご９の動作を制御する機能については専用のハードウエア２１としての処理回路で実現し、かご９の動作を制御する機能以外の機能については少なくとも１つのプロセッサ２０ａが少なくとも１つのメモリ２０ｂに格納されたプログラムを読み出して実行することによって実現してもよい。
【００４５】
このように、処理回路は、ハードウエア２１、ソフトウェア、ファームウェア、又はこれらの組み合わせによって、エレベータ制御装置１５の各機能を実現する。
【００４６】
なお、監視装置１６の各機能と管理装置１７の各機能と電子錠制御装置７の各機能も、エレベータ制御装置１５の各機能を実現する処理回路と同様の処理回路により実現される。
【００４７】
実施の形態２．
図６はこの発明の実施の形態２における救出システムの電子錠制御装置のブロック図である。なお、実施の形態１の部分と同一又は相当部分には同一符号が付される。当該部分の説明は省略される。
【００４８】
実施の形態２の電子錠制御装置７は、パスワード記憶部７ａと暗号化処理部７ｂと復号化処理部７ｃとパスワード認証部７ｄとを備える。
【００４９】
パスワード記憶部７ａは、電子錠３のパスワードを記憶する。暗号化処理部７ｂは、パスワード記憶部７ａに記憶されたパスワードから暗号化パスワードを生成する。復号化処理部７ｃは、入力装置６（図６においては図示せず）に入力された暗号化パスワードからパスワードを生成する。パスワード認証部７ｄは、復号化処理部７ｃに生成されたパスワードとパスワード記憶部７ａに記憶されたパスワードとの比較結果に基づいて電子錠３を制御する。
【００５０】
次に、図７と図８とを用いて、救出システムの動作を説明する。
図７と図８とはこの発明の実施の形態２における救出システムの動作を説明するためのフローチャートである。
【００５１】
ステップＳ２１では、エレベータ制御装置１５は、利用者がかご９の内部に閉じ込められているか否かを判定する。ステップＳ２１で利用者がかご９の内部に閉じ込められていない場合は、ステップＳ２１が繰り返される。ステップＳ１で利用者がかご９の内部に閉じ込められている場合は、ステップＳ２２に進む。
【００５２】
ステップＳ２２では、監視装置１６は、かご９に閉じ込められた利用者に対して電子錠３のパスワードの生成を要求する。利用者は、当該要求に基づいて操作盤１０の釦を操作することにより電子錠３のパスワードを新しく生成する。その後、ステップＳ２３に進む。
【００５３】
ステップＳ２３では、監視装置１６は、電子錠３のパスワードが操作盤１０の釦の操作により新しく生成されたか否かを判定する。ステップＳ２３で電子錠３のパスワードが操作盤１０の釦の操作により新しく生成されていない場合は、ステップＳ２３が繰り返される。ステップＳ２３で電子錠３のパスワードが操作盤１０の釦の操作により新しく生成された場合は、ステップＳ２４に進む。
【００５４】
ステップＳ２４では、監視装置１６は、建築物１の出入口の施錠を電子錠制御装置７に要求する。その後、ステップＳ２５に進む。ステップＳ２５では、監視装置１６は、操作盤１０の釦の操作により新しく生成されたパスワードの情報を電子錠制御装置７に送信する。監視装置１６は、当該パスワードからの暗号化パスワードの生成を電子錠制御装置７に要求する。その後、ステップＳ２６に進む。
【００５５】
ステップＳ２６では、電子錠制御装置７のパスワード記憶部７ａは、監視装置１６からのパスワードの情報を記憶する。電子錠制御装置７の暗号化処理部７ｂは、当該パスワードから暗号化パスワードを生成する。その後、ステップＳ２７に進む。
【００５６】
ステップＳ２７では、電子錠制御装置７は、暗号化パスワードの情報を監視装置１６に送信する。その後、ステップＳ２８に進む。ステップＳ２８では、監視装置１６は、当該ホームエレベータ８の情報と当該暗号化パスワードの情報とを管理装置１７に送信する。その後、ステップＳ２９に進む。
【００５７】
ステップＳ２９では、管理装置１７は、救出員を選定する。管理装置１７は、当該ホームエレベータ８の情報と当該暗号化パスワードの情報とを当該救出員の携帯端末１９に送信する。この際、救出員は、携帯端末１９に対して認証操作を行う。例えば、救出員は、携帯端末１９に指紋を読み取らせることにより認証操作を行う。その後、ステップＳ３０に進む。
【００５８】
ステップＳ３０では、電子錠制御装置７は、携帯端末１９と入力装置６との近距離通信等により暗号化パスワードが入力装置６に入力されたか否かを判定する。ステップＳ３０で暗号化パスワードが入力装置６に入力されていない場合は、ステップＳ３０が繰り返される。ステップＳ３０で暗号化パスワードが入力装置６に入力された場合は、ステップＳ３１に進む。
【００５９】
ステップＳ３１では、電子錠制御装置７の復号化処理部７ｃは、当該暗号化パスワードからパスワードを生成する。その後、ステップＳ３２に進む。ステップＳ３２では、電子錠制御装置７のパスワード認証部７ｄは、復号化処理部７ｃに生成されたパスワードがパスワード記憶部７ａに記憶されたパスワードと一致するか否かを判定する。
【００６０】
ステップＳ３２で復号化処理部７ｃに生成されたパスワードがパスワード記憶部７ａに記憶されたパスワードと一致しない場合は、ステップＳ３３進む。ステップＳ３３では、電子錠制御装置７は、電子錠３を解かない。その後、ステップＳ３２に戻る。
【００６１】
ステップＳ３２で復号化処理部７ｃに生成されたパスワードがパスワード記憶部７ａに記憶されたパスワードと一致した場合は、ステップＳ３４に進む。ステップＳ３４では、電子錠制御装置７は、電子錠３と予め設定された電子錠５とを解く。その後、ステップＳ３５に進む。
【００６２】
ステップＳ３５では、エレベータ制御装置１５は、利用者の閉じ込めが解消されたか否かを判定する。ステップＳ３５で利用者の閉じ込めが解消されていない場合は、ステップＳ３５が繰り返される。ステップＳ３５で利用者の閉じ込めが解消された場合は、ステップＳ３６に進む。
【００６３】
ステップＳ３６では、監視装置１６は、建築物１における出入口の扉４の解錠を電子錠制御装置７に要求する。その後、ステップＳ３７に進む。ステップＳ３７では、電子錠制御装置７は、電子錠３を解く。電子錠制御装置７は、パスワード記憶部７ａに記憶されたパスワードの情報を消去する。その後、動作が終了する。
【００６４】
以上で説明した実施の形態２によれば、電子錠３のパスワードは、操作盤１０の釦の操作内容に基づいて設定される。このため、建築物１のセキュリティを維持しつつ、利用者を救出するまでの時間を短縮することができる。
【符号の説明】
【００６５】
１  建築物、  ２  扉、  ３  電子錠、  ４  扉、  ４ａ  扉、  ４ｂ  扉、  ４ｃ  扉、  ５  電子錠、  ６  入力装置、  ７  電子錠制御装置、  ７ａ  パスワード記憶部、  ７ｂ  暗号化処理部、  ７ｃ  復号化処理部、  ７ｄ  パスワード認証部、  ８  ホームエレベータ、  ９  かご、  １０  操作盤、  １１  第１階床釦、  １２  第２階床釦、  １３  第３階床釦、  １４  開釦、  １５  エレベータ制御装置、  １６  監視装置、  １７  管理装置、  １８  固定電話回線、  １９  携帯端末、  ２０ａ  プロセッサ、  ２０ｂ  メモリ、  ２１  ハードウエア
【図１】
0006432459.tif 000002
【図２】
0006432459.tif 000003
【図３】
0006432459.tif 000004
【図４】
0006432459.tif 000005
【図５】
0006432459.tif 000006
【図６】
0006432459.tif 000007
【図７】
0006432459.tif 000008
【図８】
0006432459.tif 000009